(57)【要約】【課題】アンテナ性能の低下を招くことなく、アンテナの近傍に金属部品を配置することが出来る携帯型無線端末機を提供する。【解決手段】本発明に係る携帯電話機は、第１筐体１と第２筐体とを開閉可能に連結して構成され、第１筐体１の端部には、警報器のオン／オフのための操作釦４がスライド操作可能に配備されると共に、該操作釦４に対向して内蔵アンテナ３が設置されている。内蔵アンテナ３と第１筐体１の間には、操作釦４のスライド操作にクリック感を付与する金属製の板バネ５が介在し、該板バネ５は、その端部が内蔵アンテナ３に電気的に接続されて、内蔵アンテナ３の一部として機能する。【選択図】図７
2008187361.tif 000002
【特許請求の範囲】
【請求項１】
筐体にアンテナが配備されると共に、該アンテナに近接してアンテナ機能以外の他の機能を有する金属部品が配備されている携帯型無線端末機において、前記金属部品が前記アンテナに電気的に接続されてアンテナの一部として機能することを特徴とする携帯型無線端末機。
【請求項２】
前記アンテナと金属部品は、全体として所定のアンテナ長に設計されている請求項１に記載の携帯型無線端末機。
【請求項３】
前記アンテナは、筐体(１)の内部に設置された内蔵アンテナ(３)であって、該内蔵アンテナ(３)と対向して、ユーザが操作すべき操作釦(４)が配備され、該操作釦(４)は、金属製の板バネ(５)が摺接した状態でオン位置とオフ位置の間を往復移動可能であり、該板バネ(５)が前記金属部品を構成している請求項１又は請求項２に記載の携帯型無線端末機。
【請求項４】
前記内蔵アンテナ(３)は、絶縁材からなるフレーム部(30)と、該フレーム部(30)に設置されたアンテナエレメント(31)とから構成され、該アンテナエレメント(31)の端部が前記板バネ(５)の端部と接触している請求項３に記載の携帯型無線端末機。
【請求項５】
前記操作釦(４)は警報の発生をオン／オフ操作するためのものである請求項３又は請求項４に記載の携帯型無線端末機。
【発明の詳細な説明】
【技術分野】
【０００１】
本発明はアンテナを具えた携帯電話機等の携帯型無線端末機に関するものである。
【背景技術】
【０００２】
図１１に示す如く、従来の折り畳み式携帯電話機は、第１筐体(７)と第２筐体(２)とをヒンジ機構(21)を介して互いに開閉可能に連結して構成され、第１筐体(７)の基端部には、内蔵アンテナ(６)が配備されている。内蔵アンテナ(６)は、給電部(61)を介して第１筐体(７)内の回路基板(71)と電気的に接続されており、該回路基板(71)上には、スピーカユニット(72)や送受信回路(73)等の電子回路が実装されている。
ところで、近年、携帯電話機においては小型化が進んでおり、多数の構成部品を筐体の内部にコンパクトに配置することにより、筐体内の限られたスペースの有効利用が図られている(例えば特許文献１参照)。
【特許文献１】特開２００２−９９１４号公報  [H04M 1/02]
【発明の開示】
【発明が解決しようとする課題】
【０００３】
しかしながら、図１１に示す折り畳み式携帯電話機においては、内蔵アンテナ(６)の近傍に、アンテナ機能以外の他の機能を有する金属部品が配備されることとなり、この結果、内蔵アンテナ(６)から出射された電波の一部が該金属部品に吸収されてアンテナ性能が低下することとなる。そこで、従来の携帯電話機においては、内蔵アンテナ(６)から出来るだけ離して金属部品を配置する様、部品のレイアウトが決定されていた。
このため、部品のレイアウトに制約が生じ、筐体内の限られたスペースの有効利用を充分に図ることが出来ない問題があった。
【０００４】
そこで本発明の目的は、アンテナ性能の低下を招くことなく、アンテナの近傍に金属部品を配置することが出来る携帯型無線端末機を提供することである。
【課題を解決するための手段】
【０００５】
本発明に係る携帯型無線端末機においては、筐体にアンテナが配備されると共に、該アンテナに近接してアンテナ機能以外の他の機能を有する金属部品が配備されており、該金属部品が前記アンテナに電気的に接続されてアンテナの一部として機能することを特徴とする。
ここで、前記アンテナと金属部品は、全体として所定のアンテナ長に設計されている。
【０００６】
上記本発明の携帯型無線端末機によれば、金属部品は、アンテナに電気的に接続されてアンテナの一部として機能するので、アンテナ性能の低下を招くことなく、金属部品をアンテナに近接して配置することが可能となる。これによって、筐体内の限られたスペースの有効活用を図ることが出来る。
【０００７】
具体的構成において、前記アンテナは、筐体(１)の内部に設置された内蔵アンテナ(３)であって、該内蔵アンテナ(３)と対向して、ユーザが操作すべき操作釦(４)が配備され、該操作釦(４)は、金属製の板バネ(５)が摺接した状態でオン位置とオフ位置の間を往復移動可能であり、該板バネ(５)が前記金属部品を構成している。
内蔵アンテナ(３)は、絶縁材からなるフレーム部(30)と、該フレーム部(30)に設置されたアンテナエレメント(31)とから構成され、該アンテナエレメント(31)の端部が前記板バネ(５)の端部と接触している。
【０００８】
内蔵アンテナ(３)は、外部アンテナよりも筐体(１)内の他の構成部品、例えば操作釦(４)を押圧すべき板バネ(５)との距離が短くなるが、該具体的構成によれば、板バネ(５)は内蔵アンテナ(３)の一部を構成して、全体として所定のアンテナ性能を発揮するので、操作釦(４)を内蔵アンテナ(３)の近傍位置に設置した構成においてアンテナ性能が阻害されることはない。
【０００９】
例えば、前記操作釦(４)は警報の発生をオン／オフ操作するためのものであり、これによって携帯通信端末機は非常事態の発生を周囲に報知するための警報器として利用することが出来る。
【発明の効果】
【００１０】
本発明に係る携帯型無線端末機によれば、アンテナ性能の低下を招くことなく、アンテナの近傍に金属部品を配置することが可能となる。
【発明を実施するための最良の形態】
【００１１】
以下、本発明を警報機能付きの折り畳み式携帯電話機に実施した形態につき、図面に沿って具体的に説明する。
図１及び図２に示す如く、本発明に係る折り畳み式携帯電話機は、第１筐体(１)と第２筐体(２)とをヒンジ機構(21)を介して互いに開閉可能に連結して構成される。第１筐体(１)の第２筐体(２)との対向面には、複数の操作釦(図示省略)が配備されると共に、第２筐体(２)の第１筐体(１)との対向面には、液晶ディスプレイ(図示省略)が配備されている。
【００１２】
第１筐体(１)には、警報器(図示省略)が内蔵されており、第１筐体(１)のヒンジ機構(21)側の端部(以下、基端部という)には、前記警報器をオン／オフするための操作釦(４)が配備されている。該操作釦(４)は、図１に示す如く第１筐体(１)の内側へ押し込まれたオフ位置と、図２に示す如く第１筐体(１)から引き出されたオン位置との間でスライド操作が可能となっており、前記警報器は、操作釦(４)がオン位置に設定されたとき警報音を発生し、操作釦(４)がオフ位置に設定されたときに警報音の発生を停止する。
【００１３】
第１筐体(１)は、前面キャビネット半体(11)と背面キャビネット半体(12)とを互いに接合して構成され、図３に示す如く、背面キャビネット半体(12)の基端部の内面には、操作釦(４)をスライド可能に保持するホルダ部(13)が設けられている。
又、背面キャビネット半体(12)の基端部の内面には、操作釦(４)を覆って、内蔵アンテナ(３)が配備されている。図３及び図８に示す如く、内蔵アンテナ(３)は、合成樹脂製のフレーム部(30)と、該フレーム部(30)に設置されたアンテナエレメント(31)(33)とを具え、アンテナエレメント(31)(33)の一端には、図１及び図２に示す前面キャビネット半体(11)の内面に取り付けられた回路基板(図示省略)に接触すべき接点部(32)(34)が設けられている。
【００１４】
図３に示す如く、内蔵アンテナ(３)は、２本のネジ(36)(36)により背面キャビネット半体(12)の内面に締結されており、該内蔵アンテナ(３)のフレーム部(30)には、２本のネジ(36)(36)がそれぞれ貫通する一対の貫通孔(35)(35)が開設されると共に、背面キャビネット半体(12)の内面には、２本のネジ(36)(36)の先端がそれぞれ螺合する一対のネジ孔(14)(14)が開設されている。
内蔵アンテナ(３)と操作釦(４)の間には、操作釦(４)のスライド操作の過程で操作釦(４)に摺接してスライド操作に抵抗を付与する金属製の板バネ(５)が介在し、該板バネ(５)の右端部には、前記２本のネジ(36)(36)の内、右側のネジ(36)が貫通する小孔(51)が開設されている。
【００１５】
板バネ(５)は、その端部に内蔵アンテナ(３)を背面キャビネット半体(12)の内面に締結するための１本のネジ(36)が貫通して、内蔵アンテナ(３)と背面キャビネット半体(12)との間に挟持され、弾性変形可能に片持ち支持されている。
図３及び図９に示す如く、内蔵アンテナ(３)のフレーム部(30)には、操作釦(４)との対向部に凹部(37)が形成されており、板バネ(５)の自由端部の弾性変位が可能となっている。
更に図９に示す如く、内蔵アンテナ(３)のアンテナエレメント(31)は、小孔(51)が開設された板バネ(５)の基端部との接触面まで伸びている。
【００１６】
図１０に示す如く、板バネ(５)の基端部が内蔵アンテナ(３)と背面キャビネット半体(12)の内面との間に挟持された状態で、該板バネ(５)の基端部が図９に示す内蔵アンテナ(３)のアンテナエレメント(31)と接触し、これによって板バネ(５)と内蔵アンテナ(３)とが互いに電気的に接続されており、この結果、板バネ(５)は内蔵アンテナ(３)の一部として機能することになる。
【００１７】
図３に示す如く、板バネ(５)の操作釦(４)との対向部には、該操作釦(４)に向けて突出する半球状の凸部(52)が設けられており、操作釦(４)には、板バネ(５)の凸部(52)が嵌まるそれぞれ半球状の第１凹部(42)及び第２凹部(43)が形成されている。又、操作釦(４)には、第１筐体(１)の内部に向けて伸びる突片(41)が突設されている。
【００１８】
操作釦(４)が図１に示すオフ位置に設定されたとき、操作釦(４)の第１凹部(42)が板バネ(５)の凸部(52)に嵌まる一方、操作釦(４)が図２に示すオン位置に設定されたとき、操作釦(４)の第２凹部(43)が板バネ(５)の凸部(52)に嵌まることになり、操作釦(４)のスライド操作に対して一定の操作感(クリック感)が付与されることになる。
【００１９】
図４及び図５に示す如く、前記前面キャビネット半体(11)の内面には回路基板(15)が設置されており、該回路基板(15)の端部には、操作釦(４)の突片(41)に対向してスイッチ素子(16)が配備されている。
該スイッチ素子(16)は、スイッチ素子本体(16a)と、該スイッチ素子本体(16a)に回動可能に支持された回動片(16b)とを具えている。回動片(16b)は、図４に示す如くスイッチ素子本体(16a)から離間したオフ位置と、図５に示す如くスイッチ素子本体(16a)に接近したオン位置との間で回動可能となっており、スイッチ素子本体(16a)内に配備された付勢部材(図示省略)により、常に前記オフ位置に向けて付勢されている。
【００２０】
図４は、操作釦(４)がオフ位置に設定された状態を示している。操作釦(４)の突片(41)には、スイッチ素子(16)の回動片(16b)のオン位置からオフ位置への回動を受け入れる受け入れ部(44)が凹設されている。
オフ位置からオン位置へ向かう操作釦(４)のスライド操作の過程で、スイッチ素子(16)の回動片(16b)は、操作釦(４)に押圧されてオフ位置からオン位置に向けて回動し、図５に示す如く、操作釦(４)がオン位置に至ると、スイッチ素子(16)はオンとされる。これに応じて、警報器から警報音が発せられることになる。
【００２１】
図６は、操作釦(４)がオフ位置に設定された状態を示しており、図７は図６のＡ−Ａ線に沿う断面を示している。
図７に示す如く、第１筐体(１)の基端部には、内蔵アンテナ(３)に近接して金属製の板バネ(５)が配備されているが、該板バネ(５)は、内蔵アンテナ(３)を背面キャビネット半体(12)の内面に固定するための２本のネジ(36)(36)の内、１本のネジ(36)が貫通する基端部にて、内蔵アンテナ(３)のアンテナエレメント(31)と接触し、内蔵アンテナ(３)と電気的に接続されているので、板バネ(５)は、内蔵アンテナ(３)の一部として機能することになる。ここで、アンテナ性能を決定するアンテナ長は、内蔵アンテナ(３)のアンテナエレメント(31)(33)の表面積と板バネ(５)の表面積とを考慮して、所定のアンテナ性能が得られる長さに設計されている。
【００２２】
上述の如く、本発明の折り畳み式携帯電話機によれば、板バネ(５)と内蔵アンテナ(３)とが互いに電気的に接続されて、該板バネ(５)が内蔵アンテナ(３)の一部として機能するので、アンテナ性能の低下を招くことなく、内蔵アンテナ(３)に近接した位置に板バネ(５)を配置することが出来る。これにより、従来の折り畳み式携帯電話機においてアンテナ性能の低下を防止するために必要であった内蔵アンテナ(３)と板バネ(５)との間の無駄なスペースが不要となり、この結果、第１筐体(１)の厚さの増大を最小限に抑えつつ、第１筐体(１)の基端部に板バネ(５)及び操作釦(４)を配備することが出来る。
【００２３】
尚、本発明の各部構成は上記実施の形態に限らず、特許請求の範囲に記載の技術的範囲内で種々の変形が可能である。例えば、本実施例においては、警報器をオン／オフするための操作釦(４)の操作に一定のクリック感を付与する金属製の板バネ(５)が内蔵アンテナ(３)の近傍に配置されている構成に本発明を実施したが、他の金属部品が内蔵アンテナ(３)の近傍に配置されている構成に本発明を実施することも可能である。
【図面の簡単な説明】
【００２４】
【図１】操作釦がオフ位置に設定された状態を示す本発明に係る折り畳み式携帯電話機の斜視図である。
【図２】操作釦がオン位置に設定された状態を示す該折り畳み式携帯電話機の斜視図である。
【図３】操作釦、板バネ及び背面キャビネット半体の分解斜視図である。
【図４】操作釦がオフ位置に設定されたときの操作釦の突片とスイッチ素子の回動片との相対位置を示す図である。
【図５】操作釦がオン位置に設定されたときの操作釦の突片とスイッチ素子の回動片との相対位置を示す図である。
【図６】操作釦がオフ位置に設定された状態を示す第１筐体の背面図である。
【図７】図４のＡ−Ａ線に沿う断面図である。
【図８】アンテナの正面図である。
【図９】アンテナの裏面図である。
【図１０】板バネの取り付け状態を示すアンテナの裏面図である。
【図１１】従来の折り畳み式携帯電話機の内部構造を示す一部破断斜視図である。
【符号の説明】
【００２５】
(１)  第１筐体
(11)  前面キャビネット半体
(12)  背面キャビネット半体
(13)  ホルダ部
(14)  ネジ孔
(15)  回路基板
(16)  スイッチ素子
(２)  第２筐体
(21)  ヒンジ機構
(３)  内蔵アンテナ
(31)(33)  アンテナエレメント
(32)(34)  接点部
(35)  貫通孔
(36)  ネジ
(37)  凹部
(４)  操作釦
(41)  突片
(42)  第１凹部
(43)  第２凹部
(５)  板バネ
(51)  小孔
(52)  凸部
【図１】
2008187361.tif 000003
【図２】
2008187361.tif 000004
【図３】
2008187361.tif 000005
【図４】
2008187361.tif 000006
【図５】
2008187361.tif 000007
【図６】
2008187361.tif 000008
【図７】
2008187361.tif 000009
【図８】
2008187361.tif 000010
【図９】
2008187361.tif 000011
【図１０】
2008187361.tif 000012
【図１１】
2008187361.tif 000013